(57)【要約】    【課題】      種類や数が多いリサイクルマークや環境マークなどの製品特性マークについて、どの製品特性マークが最適であるかを判断し、随時、手軽かつ簡単に印字可能な製品特性マーク印字用プリンターおよび製品特性マーク選択方法を提供すること。    【解決手段】  製品をその包装容器および製品本体に分類分けし、製品特性マークを記憶した製品名テーブルを設けることに着目し、製品特性マークおよびその内容説明を記憶した製品特性マークテーブルと、その包装容器および製品本体に付ける製品特性マークを記憶した製品名テーブルと、を設け、検索キーワードを入力する検索スタートモードと、製品名テーブルから包装容器ないし製品本体に対応する製品特性マークを表示するマーク表示モードと、製品特性マークを選択する容器マーク選択モードないし本体マーク選択モードと、製品特性マークを印字する印字モードと、を有することを特徴とする。【選択図】        図８                            
2005169898.tif 000002
【特許請求の範囲】
【請求項１】
各種製品についての資源あるいは環境に関する各種の製品特性マークを印字するための製品特性マーク印字用プリンターであって、
前記製品特性マークおよびその内容説明を記憶した製品特性マークテーブルと、
前記製品の製品名に対応して、その包装容器および製品本体にそれぞれ付けることができる前記製品特性マークを記憶した製品名テーブルと、
を設けるとともに、
前記製品に関して検索キーワードを入力することにより、前記製品に対応する前記製品特性マークの検索を開始する検索スタートモードと、
この検索スタートモードにおいて入力された前記検索キーワードにしたがって、前記製品名テーブルから前記包装容器ないし前記製品本体に対応する前記製品特性マークを、前記製品特性マークテーブルにおける前記内容説明とともにそれぞれ表示するマーク表示モードと、
このマーク表示モードにおいて表示された前記製品特性マークの中から、前記製品の前記包装容器ないし前記製品本体に付けることができる前記製品特性マークをそれぞれ選択する容器マーク選択モードないし本体マーク選択モードと、
この容器マーク選択モードないし本体マーク選択モードにおいて選択した前記製品特性マークを印字する印字モードと、
を有することを特徴とする製品特性マーク印字用プリンター。
【請求項２】
前記製品特性マークテーブルは、前記製品に関する前記製品特性マークに付与した製品特性マーク番号に対応して前記製品特性マークおよびその前記内容説明を記憶していることを特徴とする請求項１記載の製品特性マーク印字用プリンター。
【請求項３】
前記検索キーワードは、これを前記製品に関する前記製品名とすることを特徴とする請求項１記載の製品特性マーク印字用プリンター。
【請求項４】
前記容器マーク選択モードないし前記本体マーク選択モードにおいて選択した前記製品特性マークが環境マークであるか否かを判断する環境マーク判断モードを有することを特徴とする請求項１記載の製品特性マーク印字用プリンター。
【請求項５】
前記環境マークについて、認証が必要であるか否かを判断する認証判断モードを有することを特徴とする請求項４記載の製品特性マーク印字用プリンター。
【請求項６】
前記環境マークについて、再生紙使用マークがあるか否かを判断する再生紙使用判断モードを有することを特徴とする請求項４記載の製品特性マーク印字用プリンター。
【請求項７】
前記容器マーク選択モードないし前記本体マーク選択モードにおいて選択した前記製品特性マークについて、関連事項を入力するか否かを判断する関連事項入力判断モードを有することを特徴とする請求項１記載の製品特性マーク印字用プリンター。
【請求項８】
各種製品についての資源あるいは環境に関する各種の製品特性マークを選択するための製品特性マーク選択方法であって、
前記製品特性マークおよびその内容説明を記憶した製品特性マークテーブルと、
前記製品の製品名に対応して、その包装容器および製品本体にそれぞれ付けることができる前記製品特性マークを記憶した製品名テーブルと、
を設けるとともに、
前記製品に関して検索キーワードを入力することにより、前記製品に対応する前記製品特性マークの検索を開始する検索スタート工程と、
この検索スタート工程において入力された前記検索キーワードにしたがって、前記製品名テーブルから前記包装容器ないし前記製品本体に対応する前記製品特性マークを、前記製品特性マークテーブルにおける前記内容説明とともにそれぞれ表示するマーク表示工程と、
このマーク表示工程において表示された前記製品特性マークの中から、前記製品の前記包装容器ないし前記製品本体に付けることができる前記製品特性マークをそれぞれ選択する容器マーク選択工程ないし本体マーク選択工程と、
を有することを特徴とする製品特性マーク選択方法。
【発明の詳細な説明】
【技術分野】
【０００１】
本発明は製品特性マーク印字用プリンターおよび製品特性マーク選択方法にかかるもので、とくにリサイクルマークや環境マークなどの製品特性マークを印字するための製品特性マーク印字用プリンターおよび製品特性マーク選択方法に関するものである。
【背景技術】
【０００２】
従来から各種の製品に関し、資源の有効利用のためのリサイクルマーク、あるいは環境への影響を配慮した製品であることを示すための環境マークを付与して、資源および環境に配慮しようとする運動が高まりつつある。
しかしながら、製品の製造出荷段階ですべての製品にこれらのリサイクルマークおよび環境マークなどが付されているわけではなく、また、製品の一部（たとえばボトルの本体）に付されてはいても他の部分（たとえばボトルの蓋）には製品特性マークが付されていない場合、個人メーカーや輸入業者等による販売製品にはこれらの製品特性マークが付されていない場合などがあり、これらの場合には製品の製造業者あるいは販売業者が該当する製品特性マークを対応する製品に事後的に付けて表示可能とする必要があるという問題がある。
さらに、リサイクルマークや環境マークなどの製品特性マークは、その種類や数が多く、ある特定の製品についてどの製品特性マークが適切かつ最適であるかを判断することが困難であるという問題がある。
しかも、上述のように任意の製品について製品特性マークを印字したラベルその他の印字出力媒体を随時発行することが要請される場合があるにもかかわらず、必要な製品特性マーク自体を手軽かつ簡単に印字して発行することができるプリンターないしそのマーク選択方法がないという問題がある。
【０００３】
【特許文献１】特開２００３−８０７６９号公報
【特許文献２】特開２００３−８１２３７号公報
【発明の開示】
【発明が解決しようとする課題】
【０００４】
本発明は以上のような諸問題にかんがみなされたもので、製品の製造業者あるいは販売業者がリサイクルマークや環境マークなどの製品特性マークをあとから付けることができる製品特性マーク印字用プリンターおよび製品特性マーク選択方法を提供することを課題とする。
【０００５】
また本発明は、その種類や数が多いリサイクルマークや環境マークなどの製品特性マークについて、特定の製品についてどの製品特性マークが適切かつ最適であるかを判断してラベルその他の印字出力媒体に印字することができる製品特性マーク印字用プリンターおよび製品特性マーク選択方法を提供することを課題とする。
【０００６】
また本発明は、ある製品に必要な製品特性マーク自体を必要に応じて随時、手軽かつ簡単に印字して発行することができる製品特性マーク印字用プリンターおよび製品特性マーク選択方法を提供することを課題とする。
【課題を解決するための手段】
【０００７】
すなわち本発明は、製品をその包装容器および製品本体に分類分けして、それぞれに付けることができる製品特性マークを記憶した製品名テーブルを設けること、製品に関して検索キーワードを入力して製品の包装容器ないし製品本体に付けることができる製品特性マークをそれぞれ選択するようにすることに着目したもので、第一の発明は、各種製品についての資源あるいは環境に関する各種の製品特性マークを印字するための製品特性マーク印字用プリンターであって、上記製品特性マークおよびその内容説明を記憶した製品特性マークテーブルと、上記製品の製品名に対応して、その包装容器および製品本体にそれぞれ付けることができる上記製品特性マークを記憶した製品名テーブルと、を設けるとともに、上記製品に関して検索キーワードを入力することにより、上記製品に対応する上記製品特性マークの検索を開始する検索スタートモードと、この検索スタートモードにおいて入力された上記検索キーワードにしたがって、上記製品名テーブルから上記包装容器ないし上記製品本体に対応する上記製品特性マークを、上記製品特性マークテーブルにおける上記内容説明とともにそれぞれ表示するマーク表示モードと、このマーク表示モードにおいて表示された上記製品特性マークの中から、上記製品の上記包装容器ないし上記製品本体に付けることができる上記製品特性マークをそれぞれ選択する容器マーク選択モードないし本体マーク選択モードと、この容器マーク選択モードないし本体マーク選択モードにおいて選択した上記製品特性マークを印字する印字モードと、を有することを特徴とする製品特性マーク印字用プリンターである。
【０００８】
第二の発明は、各種製品についての資源あるいは環境に関する各種の製品特性マークを選択するための製品特性マーク選択方法であって、上記製品特性マークおよびその内容説明を記憶した製品特性マークテーブルと、上記製品の製品名に対応して、その包装容器および製品本体にそれぞれ付けることができる上記製品特性マークを記憶した製品名テーブルと、を設けるとともに、上記製品に関して検索キーワードを入力することにより、上記製品に対応する上記製品特性マークの検索を開始する検索スタート工程と、この検索スタート工程において入力された上記検索キーワードにしたがって、上記製品名テーブルから上記包装容器ないし上記製品本体に対応する上記製品特性マークを、上記製品特性マークテーブルにおける上記内容説明とともにそれぞれ表示するマーク表示工程と、このマーク表示工程において表示された上記製品特性マークの中から、上記製品の上記包装容器ないし上記製品本体に付けることができる上記製品特性マークをそれぞれ選択する容器マーク選択工程ないし本体マーク選択工程と、を有することを特徴とする製品特性マーク選択方法である。
【０００９】
上記製品特性マークテーブルは、上記製品に関する上記製品特性マークに付与した製品特性マーク番号に対応して上記製品特性マークおよびその上記内容説明を記憶していることができる。
【００１０】
上記検索キーワードは、これを上記製品に関する上記製品名とすることができる。
【００１１】
上記容器マーク選択モードないし上記本体マーク選択モードにおいて選択した上記製品特性マークが環境マークであるか否かを判断する環境マーク判断モードを有することができる。
【００１２】
上記環境マークについて、認証が必要であるか否かを判断する認証判断モードを有することができる。
【００１３】
上記環境マークについて、再生紙使用マークがあるか否かを判断する再生紙使用判断モードを有することができる。
【００１４】
上記容器マーク選択モードないし上記本体マーク選択モードにおいて選択した上記製品特性マークについて、関連事項を入力するか否かを判断する関連事項入力判断モードを有することができる。
【００１５】
上記印字を行う印字出力媒体ないし印字用紙としては、帯状の台紙に複数枚のラベル片を仮着したラベル連続体の形態が望ましいが、製品の種類あるいは形態に応じて下げ札その他任意の形態を採用することができるとともに、印字方式としても熱転写印字方式、インキジェット方式、熱発色方式、その他任意の方式を採用可能である。
【発明の効果】
【００１６】
本発明による製品特性マーク印字用プリンターおよび製品特性マーク選択方法においては、製品特性マークおよびその内容説明を記憶した製品特性マークテーブルと、製品の製品名に対応して、その包装容器および製品本体にそれぞれ付けることができる製品特性マークを記憶した製品名テーブルと、を設けるとともに、製品に関して検索キーワードを入力して、製品の包装容器ないし製品本体に付けることができる製品特性マークをそれぞれ選択するようにしたので、任意の製品について適正な製品特性マークを必要に応じて随時選択ないし印字し、この印字された製品特性マークを当該製品に付して表示することができる。
【００１７】
とくに第一の発明による製品特性マーク印字用プリンターによれば、製品特性マークテーブルおよび製品名テーブルを設けるとともに、検索スタートモード、マーク表示モード、容器マーク選択モードないし本体マーク選択モードおよび印字モードを有するようにしたので、検索キーワードの入力からスタートして、表示された製品特性マークの中から、所定の製品についての環境マークないしはリサイクルマークを所定の手順で選択し、印字することができる。
【００１８】
とくに第二の発明による製品特性マーク選択方法によれば、第一の発明と同様に、検索スタート工程、マーク表示工程、容器マーク選択工程ないし本体マーク選択工程を有するようにしたので、所定の製品についての環境マークないしはリサイクルマークを所定の手順で選択することができる。
【発明を実施するための最良の形態】
【００１９】
本発明は、リサイクルマークや環境マークなどの製品特性マークについて、製品特性マークを付ける対象である製品についてその包装容器および製品本体に分けて製品特性マークを分類分けするとともに、製品についてたとえば製品名などの検索キーワードを入力し、その製品についての包装容器および製品本体ごとに製品特性マークを表示して選択可能とし、種類および数が多い中から必要な製品特性マークを選択ないし印字することができるようにしたので、任意の製品について適正な製品特性マークを必要に応じて選択ないし印字することができる製品特性マーク印字用プリンターおよび製品特性マーク選択方法を実現した。
【実施例】
【００２０】
つぎに本発明の実施例による製品特性マーク印字用プリンター１を製品特性マーク選択方法とともに図１ないし図１７にもとづき説明する。
図１は、製品特性マーク印字用プリンター１の概略側面図であって、製品特性マーク印字用プリンター１は、ラベル供給部２と、ラベル位置検出部３と、印字部４と、インキリボン供給部５およびインキリボン巻取り部６と、制御回路７と、を有する。
【００２１】
ラベル供給部２は、ラベル連続体８をロール状に巻いて保持し、ラベル位置検出部３および印字部４方向に帯状に繰り出し可能とする。
図２は、ラベル連続体８の平面図であって、ラベル連続体８は、帯状の台紙９上に複数枚のラベル片１０を仮着してあり、台紙９の裏面に位置検出用マーク１１をあらかじめ印刷してある。
【００２２】
ラベル位置検出部３は、光反射型センサー１２を有し、この光反射型センサー１２がラベル連続体８（台紙２）の裏面の位置検出用マーク１１を検出して、ラベル片１０の位置を検出する。
【００２３】
印字部４は、サーマルヘッド１３およびプラテンローラー１４を有し、プラテンローラー１４の回転駆動によりラベル連続体８を移送するとともに、インキリボン供給部５からの熱転写インキリボン１５の供給を受けて、サーマルヘッド１３によりラベル片１０の表面に所定の印字データを印字する。
この熱転写インキリボン１５としては、青、赤、黄の三原色のものを装備すれば、カラー印字が可能で各種の製品特性マークに対応することができ、また、インキジェット方式その他任意の印字方式を採用した印字部４とすることもできる。
なお、印字されたラベル連続体８は、台紙９を反転させてラベル連続体８からラベル片１０を剥離するか、あるいはそのまま任意の巻取り部（図示せず）に巻き取って、任意の形態の使用に供する。
【００２４】
図３は、制御回路７の概略説明図であり、制御回路７は、ＣＰＵ１６と、ＲＯＭ１７と、ＲＡＭ１８と、入力用操作パネル制御回路１９と、ラベル移送制御回路２１と、サーマルヘッド制御回路２０と、を有し、それぞれをバス２２により接続してある。
【００２５】
ＣＰＵ１６は、ＲＯＭ１７に記憶している各種の制御プログラムにしたがって上記各部分を制御する。
【００２６】
ＲＯＭ１７は、製品特性マーク印字用プリンター１全体の制御プログラムならびに各種固定データおよびＩＯ定数などを記憶しているとともに、製品特性マークテーブル２３と、製品名テーブル２４と、を有する。
製品特性マークテーブル２３は、製品特性マークおよびその内容説明を記憶しているもので、環境マークテーブル２５およびリサイクルマークテーブル２６を有する。
【００２７】
図４は、環境マークテーブル２５の説明図、図５は、リサイクルマークテーブル２６の説明図である。
製品特性マークテーブル２３は、製品に関する製品特性マークに付与した製品特性マーク番号に対応して製品特性マークおよびその内容説明を記憶している。
すなわち、環境マークテーブル２５およびリサイクルマークテーブル２６はそれぞれ、製品特性マーク番号欄２７、マーク図欄２８および内容説明欄２９を有する。
製品特性マーク番号欄２７は、製品特性マーク番号として、環境マークには環境マーク番号としてたとえば「Ａ１」、「Ａ２」、．．．などを付与し、リサイクルマークにはリサイクルマーク番号としてたとえば「Ｂ１」、「Ｂ２」、．．．などを付与している。
マーク図欄２８は、環境マークおよびリサイクルマークを具体的に図示して表示している。
内容説明欄２９は、環境マークおよびリサイクルマークの具体的内容を説明している欄であって、当該製品特性マーク印字用プリンター１の操作者がいずれかのマークを選択する際の指針を提供している。
なお、図４の環境マークテーブル２５および図５のリサイクルマークテーブル２６においては、後述する図１２の問合せ先欄４９の内容に該当する項目が必要なマークについては、この内容をあわせて記憶してある。
【００２８】
製品名テーブル２４は、製品の製品名に対応して、その包装容器および製品本体にそれぞれ付けることができる製品特性マークを分類分けして記憶している。
図６は、製品名テーブル２４の説明図、図７は、他の態様の製品名テーブル２４Ａの説明図である。
図６に示すように、製品名テーブル２４は、製品名欄３０、包装容器欄３１および製品欄３２を有し、包装容器欄３１をさらに分類分けして箱欄３１Ａおよび袋欄３１Ｂを設けており、それぞれの欄に該当する製品特性マークを、環境マーク番号（図４）あるいはリサイクルマーク番号（図５）により示している。
図７に示すように、製品名テーブル２４Ａは、製品名欄３０に対応して箱欄３１Ａ、環境マーク欄３３およびリサイクルマーク欄３４をそれぞれ分けて設け、袋欄３１Ｂおよび製品欄３２に対応して同様に、環境マーク欄３３およびリサイクルマーク欄３４を設けている。
なお、ＲＯＭ１７内の製品特性マークテーブル２３および製品名テーブル２４についてのデータの変更ないし更新は、これを随時行うことができるものとする。
【００２９】
ＲＡＭ１８は、フラグ、ワークエリアおよび印字展開エリアなどを有する。
【００３０】
入力操作用パネル制御回路１９は、各種のデータ入力およびコマンド入力を行うテンキーおよびコマンドキーならびにタッチパネル式の表示パネルなどを供えた表示部３５を制御する。
【００３１】
ラベル移送制御回路２１は、プラテンローラー１４およびインキリボン巻取り部６の駆動を制御する。
【００３２】
サーマルヘッド制御回路２０は、サーマルヘッド１３の駆動を制御する。
【００３３】
上述のような構成の製品特性マーク印字用プリンター１により、各種製品についての資源あるいは環境に関する各種の製品特性マークを印字するものであって、その印字操作について、以下説明する。
図８は、上記表示部３５における表示パネルに表示される各種指示ないし問合わせにもとづく操作のフローチャート図であって、ステップＳ８−１において検索スタート画面４０（図９）を表示する（検索スタートモード、検索スタート工程）。
すなわち図９は、製品に関して検索キーワードを入力することにより、製品に対応する製品特性マークの検索を開始する検索スタートモードを示す説明図であって、検索キーワード入力欄４１を設けてあり、この検索キーワード入力欄４１に製品に関する検索キーワードを入力する。この検索キーワードとしては、たとえばこれを製品に関する製品名とする。
なお、検索スタート画面４０には、環境マークの代表例４２Ａおよびリサイクルマークの代表例４２Ｂを表示してある。
【００３４】
ステップＳ８−２において、この検索キーワードが製品名テーブル２４（製品名テーブル２４Ａ）内にあるかを判断し、あればステップＳ８−３において包装容器フローチャート図（図１０）に進む。
【００３５】
すなわち図１０は、製品の包装容器に関して製品特性マークを選択するための包装容器フローチャート図であって、ステップＳ１０−１において製品名テーブル２４に包装容器があるかを判断し、あればステップＳ１０−２において包装容器画面４３（図１１）を表示する（マーク表示モード、マーク表示工程）。
すなわち図１１は、包装容器画面４３の説明図であって、包装容器画面４３には、検索スタートモードにおいて入力された検索キーワードにしたがって、製品名テーブル２４（製品名テーブル２４Ａ）から包装容器ないし製品本体に対応する製品特性マークを、製品特性マークテーブル２３における内容説明とともにそれぞれ表示するもので、製品の包装容器として、箱４４Ａ（ダンボール箱）および袋４４Ｂごとに製品特性マークテーブル２３（環境マークテーブル２５、リサイクルマークテーブル２６）の内容を表示し、マーク図欄２８および内容説明欄２９とともに、区分欄４５および選択欄４６を設けている。区分欄４５は、マークが環境マークかあるいはリサイクルマークかの内容、および第三者の認証が必要か否かなどの内容を表示している。
かくして、マーク表示モードにおいて表示された製品特性マークの中から、製品の包装容器ないし製品本体に付けることができる製品特性マークをそれぞれ選択する。
すなわち、マーク図欄２８には、環境マークおよびリサイクルマークともに付けることができるものをすべてリストしてあり、区分欄４５で環境マークかリサイクルマークかの区分を示してあり、内容説明欄２９における説明から判断して、選択欄４６において「選択」ボタン４７を押すことにより、所定のマークを選択可能としている（容器マーク選択モードないし本体マーク選択モード、容器マーク選択工程ないし本体マーク選択工程）。
【００３６】
つぎに、ステップＳ１０−４において、選択したマークに環境マークであるか、あるいは環境マークが含まれるか否かを判断する（環境マーク判断モード、環境マーク判断工程）。
環境マークがあれば、ステップＳ１０−５に進んで、第三者による認証が必要であるか否かを確認ないし判断して、認証判断画面４８を表示する（認証判断モード、認証判断工程）。
すなわち図１２は、認証判断画面４８を示す説明図であって、認証判断画面４８には、マーク図欄２８、内容説明欄２９および区分欄４５とともに、問合せ先欄４９および認証判断欄５０を設けてあって、必要ならば問合せ先欄４９に問い合わせて認証判断欄５０欄の「ＹＥＳ」ボタン５１あるいは「ＮＯ」ボタン５２を押して、認証されているか否かを選択する（ステップＳ１０−６）。
【００３７】
ステップＳ１０−６において、認証されていなければ、ステップＳ１０−１に戻り、認証されていれば、ステップＳ１０−７において、上述の容器マーク選択モードないし本体マーク選択モードにおいて選択した製品特性マークについて、関連事項を入力するか否かを判断する（関連事項入力判断モード、関連事項入力判断工程）。
すなわち図１３は、関連事項入力選択画面５３を示す説明図であって、関連事項入力選択画面５３には、環境マークの代表例４２Ａおよびリサイクルマークの代表例４２Ｂ、さらには関連事項例欄５４を設けているとともに、「ＹＥＳ」ボタン５１および「ＮＯ」ボタン５２のいずれか一方を選択可能としている。
【００３８】
関連事項を入力するのであれば、ステップＳ１０−８において関連事項を入力する。
すなわち図１４は、関連事項入力画面５５を示す説明図であって、関連事項入力画面５５においては、環境マークの代表例４２Ａおよび関連事項例欄５４を設けているとともに、関連事項入力欄５６に必要事項を入力可能としてあり、この関連事項入力欄５６に必要な関連事項を入力する。
【００３９】
ついで、ステップＳ１０−９において、今まで入力したデータを製品特性マーク出力用の印字データとして、ＲＡＭ１８などに一時保存する。
【００４０】
ステップＳ１０−５において認証が必要な環境マークがなければ、ステップＳ１０−１０において環境マークについて再生紙使用マークがあるかを判断する（再生紙使用判断モード、再生紙使用判断工程）。
すなわち図１５は、再生紙使用マーク数値入力画面５７を示す説明図であって、再生紙使用マーク数値入力画面５７においては、再生紙使用マークの古紙配合率の数値を入力する（ステップＳ１０−１１）。
この数値の入力方法としては、数値（たとえばＲ５０は古紙配合率が５０％、Ｒ５５は古紙配合率が５０％、・・・）が左寄りに入力される左寄り選択欄５８、数値が右寄りに入力される右寄り選択欄５９、あるいは任意の数値を入力可能な数値記入欄６０のいずれかを用いて入力する。
この数値入力ののち、前述のステップＳ１０−７に進む。
【００４１】
さらに、ステップＳ１０−９ののち、前述の図８におけるステップＳ８−４（製品フローチャート図）に移行する。
すなわち図１６は、製品本体に関して製品特性マークを選択するための製品フローチャート図であって、ステップＳ１６−１において製品画面６１を表示する。
図１７は、製品画面６１を示す説明図であって、前記包装容器画面４３（図１１）と同様に、製品画面６１において、検索スタートモードにおいて入力された検索キーワードにしたがって、製品本体６２（たとえばパソコン）に対応する製品特性マークを、製品特性マークテーブル２４（製品名テーブル２４Ａ）における内容説明とともにそれぞれ表示するもので、製品本体ごとに製品特性マークテーブル２３（環境マークテーブル２５、リサイクルマークテーブル２６）の内容を表示し、マーク図欄２８および内容説明欄２９とともに、区分欄４５および選択欄４６を設けている。
【００４２】
操作者は、前記包装容器画面４３（図１１）における処理と同様に、内容説明欄２９の内容を参考にして所定のマークを選択し（ステップＳ１６−２）、図１０のステップＳ１０−４と同様に、ステップＳ１６−３において環境マークがあるか否かを判断する。
この後のステップＳ１６−４からステップＳ１６−１０は、図１０のステップＳ１０−５からステップＳ１０−１１（図１２ないし図１５）と全く同様であり、説明を省略する。
【００４３】
最後に、前記容器マーク選択モードないし前記本体マーク選択モードにおいて選択した製品特性マークを、図８のステップＳ８−５に移行して、一度保存したデータを出力すなわち印字する（印字モード、印字工程）。
【００４４】
かくして、印字された環境マークあるいはリサイクルマークをラベル片１０の形態で入手することができるため、このラベル片１０を該当する製品に貼り付けるものとする。
【図面の簡単な説明】
【００４５】
【図１】本発明の実施例による製品特性マーク印字用プリンター１の概略側面図である。
【図２】同、ラベル連続体８の平面図である。
【図３】同、制御回路７の概略説明図である。
【図４】同、環境マークテーブル２５の説明図である。
【図５】同、リサイクルマークテーブル２６の説明図である。
【図６】同、製品名テーブル２４の説明図である。
【図７】同、他の態様の製品名テーブル２４Ａの説明図である。
【図８】同、表示部３５における表示パネルに表示される各種指示ないし問合わせにもとづく操作のフローチャート図である。
【図９】同、製品に関して検索キーワードを入力することにより、製品に対応する製品特性マークの検索を開始する検索スタートモードを示す説明図である。
【図１０】同、製品の包装容器に関して製品特性マークを選択するための包装容器フローチャート図である。
【図１１】同、包装容器画面４３の説明図である。
【図１２】同、認証判断画面４８を示す説明図である。
【図１３】同、関連事項入力選択画面５３を示す説明図である。
【図１４】同、関連事項入力画面５５を示す説明図である。
【図１５】同、再生紙使用マーク数値入力画面５７を示す説明図である。
【図１６】同、製品本体に関して製品特性マークを選択するための製品フローチャート図である。
【図１７】同、製品画面６１を示す説明図である。
【符号の説明】
【００４６】
１  製品特性マーク印字用プリンター（実施例、図１）
２  ラベル供給部
３  ラベル位置検出部
４  印字部
５  インキリボン供給部
６  インキリボン巻取り部
７  制御回路
８  ラベル連続体（印字出力媒体）
９  台紙
１０  ラベル片（印字出力媒体）
１１  位置検出用マーク
１２  光反射型センサー
１３  サーマルヘッド
１４  プラテンローラー
１５  熱転写インキリボン
１６  ＣＰＵ
１７  ＲＯＭ
１８  ＲＡＭ
１９  入力操作用パネル制御回路
２０  サーマルヘッド制御回路
２１  ラベル移送制御回路
２２  バス
２３  製品特性マークテーブル（図４、図５）
２４  製品名テーブル（図６）
２４Ａ  製品名テーブル（図７）
２５  環境マークテーブル（図４）
２６  リサイクルマークテーブル（図５）
２７  製品特性マーク番号欄
２８  マーク図欄
２９  内容説明欄
３０  製品名欄
３１  包装容器欄（図６、図７）
３１Ａ  箱欄
３１Ｂ  袋欄
３２  製品欄
３３  環境マーク欄
３４  リサイクルマーク欄
３５  表示部（図３）
４０  検索スタート画面（図９）
４１  検索キーワード入力欄
４２Ａ  環境マークの代表例
４２Ｂ  リサイクルマークの代表例
４３  包装容器画面（図１１）
４４Ａ  箱（ダンボール箱）（包装容器）
４４Ｂ  袋（包装容器）
４５  区分欄
４６  選択欄
４７  「選択」ボタン
４８  認証判断画面（図１２）
４９  問合せ先欄
５０  認証判断欄
５１  「ＹＥＳ」ボタン
５２  「ＮＯ」ボタン
５３  関連事項入力選択画面（図１３）
５４  関連事項例欄
５５  関連事項入力画面（図１４）
５６  関連事項入力欄
５７  再生紙使用マーク数値入力画面（図１５）
５８  左寄り選択欄
５９  右寄り選択欄
６０  数値記入欄
６１  製品画面（図１７）
６２  製品本体（たとえばパソコン）
【図１】
2005169898.tif 000003
【図２】
2005169898.tif 000004
【図３】
2005169898.tif 000005
【図４】
2005169898.tif 000006
【図５】
2005169898.tif 000007
【図６】
2005169898.tif 000008
【図７】
2005169898.tif 000009
【図８】
2005169898.tif 000010
【図９】
2005169898.tif 000011
【図１０】
2005169898.tif 000012
【図１１】
2005169898.tif 000013
【図１２】
2005169898.tif 000014
【図１３】
2005169898.tif 000015
【図１４】
2005169898.tif 000016
【図１５】
2005169898.tif 000017
【図１６】
2005169898.tif 000018
【図１７】
2005169898.tif 000019